【手続補正書】
【提出日】平成18年9月22日(2006.9.22)
【手続補正１】
【補正対象書類名】明細書
【補正対象項目名】特許請求の範囲
【補正方法】変更
【補正の内容】
【特許請求の範囲】
【請求項１】  遊技者が所定の遊技を行うことが可能な遊技機であって、
遊技進行を制御するとともに、遊技に供される電気部品を制御させるためのコマンドとしてのコマンドデータを出力するコマンド出力処理と、コマンドデータ出力開始後所定の期間が経過した後にコマンドデータの取込を指示する取込信号を出力する取込信号出力処理とを実行するコマンド出力手段を含む遊技制御手段と、
前記遊技制御手段からのコマンドに応じて前記電気部品を制御するための電気部品制御手段とを備え、
前記コマンド出力手段は、コマンドデータを出力して前記取込信号出力処理を実行し、該取込信号出力処理を実行した後、所定期間経過後に次のコマンドデータを出力し、
前記所定期間は、コマンドデータを出力してから取込信号を出力するまでの期間よりも長く、
前記コマンド出力手段は、前記取込信号出力処理を実行した後、前記所定期間が経過するまでコマンドデータの出力を維持し、
前記電気部品制御手段は、初期設定で、所定の割込条件が成立した場合に実行される割込処理の実行アドレスに関わる割込モードの設定を行い、
取込信号に応じて発生するコマンド受信割込にもとづくコマンド受信処理を含む割込処理を、設定された割込モードに従って実行し、前記コマンド受信処理によってコマンドデータを受信する
ことを特徴とする遊技機。
【請求項２】  電気部品制御手段は、初期設定で、割込発生時の実行アドレスを設定可能な割込モードの設定を行うとともに、割込発生時の実行アドレスの設定を行う
請求項１記載の遊技機。
【請求項３】  コマンド受信割込は、取込信号に応じて更新されるレジスタが所定値になったことに応じて発生する
請求項１または請求項２記載の遊技機。
【請求項４】  電気部品制御手段は、所定周期で発生するタイマ割込に応じた定期割込処理を、設定された割込モードに従って実行可能であり、
タイマ割込は、所定のクロック信号によって更新されるレジスタが所定値になったことに応じて発生する
請求項１から請求項３のうちのいずれかに記載の遊技機。
【請求項５】  電気部品制御手段は、初期設定で、レジスタの初期値を設定する
請求項３または請求項４記載の遊技機。
【請求項６】  コマンド受信処理は、定期割込処理よりも優先して実行される
請求項４または請求項５記載の遊技機。
【請求項７】  電気部品制御手段は、複数のコマンドを同時期に格納可能なバッファエリアを有し、受信したコマンドを前記バッファエリアに格納する
請求項１から請求項６のうちのいずれかに記載の遊技機。
【請求項８】  電気部品制御手段は、遊技制御手段からのコマンドに応じて払出装置を制御する払出制御手段を含み、
遊技制御手段は、所定の入賞に応じて、前記払出装置から払い出すべき遊技媒体数を特定可能なコマンドを前記払出制御手段に対して出力可能であり、
前記払出制御手段は、バッファエリアに格納されている払い出すべき遊技媒体数を特定可能なコマンドで特定される遊技媒体数を、払出予定総数を特定可能なカウンタに加算する
請求項７記載の遊技機。
【請求項９】  コマンド受信処理には、入力されたコマンドが適正であるか否かを判定するコマンド判定処理が含まれ、
電気部品制御手段は、前記コマンド判定処理で判定した適正なコマンドを前記バッファエリアに格納する
請求項７または請求項８記載の遊技機。
【手続補正２】
【補正対象書類名】明細書
【補正対象項目名】００１１
【補正方法】変更
【補正の内容】
【００１１】
【課題を解決するための手段】
本発明による遊技機は、遊技者が所定の遊技を行うことが可能な遊技機であって、遊技進行を制御するとともに遊技に供される電気部品を制御させるためのコマンドとしてのコマンドデータを出力するコマンド出力処理と、コマンドデータ出力開始後所定の期間が経過した後にコマンドデータの取込を指示する取込信号を出力する取込信号出力処理とを実行するコマンド出力手段を含む遊技制御手段と、遊技制御手段からのコマンドに応じて電気部品を制御するための電気部品制御手段とを備え、コマンド出力手段は、コマンドデータを出力して取込信号出力処理を実行し、取込信号出力処理を実行した後、所定期間経過後に次のコマンドデータを出力し、所定期間は、コマンドデータを出力してから取込信号を出力するまでの期間よりも長く、コマンド出力手段は、取込信号出力処理を実行した後、所定期間が経過するまでコマンドデータの出力を維持し、電気部品制御手段が、初期設定で、所定の割込条件が成立した場合に実行される割込処理の実行アドレスに関わる割込モードの設定を行い、取込信号に応じて発生するコマンド受信割込にもとづくコマンド受信処理を含む割込処理を、設定された割込モードに従って実行し、コマンド受信処理によってコマンドデータを受信することを特徴とする。
【手続補正３】
【補正対象書類名】明細書
【補正対象項目名】００１２
【補正方法】変更
【補正の内容】
【００１２】
電気部品制御手段が、初期設定で、割込発生時の実行アドレスを設定可能な割込モードの設定を行うとともに、割込発生時の実行アドレスの設定を行うように構成されていてもよい。
【手続補正４】
【補正対象書類名】明細書
【補正対象項目名】００１３
【補正方法】変更
【補正の内容】
【００１３】
コマンド受信割込は、取込信号に応じて更新されるレジスタが所定値になったことに応じて発生するように構成されていてもよい。
【手続補正５】
【補正対象書類名】明細書
【補正対象項目名】００１７
【補正方法】変更
【補正の内容】
【００１７】
電気部品制御手段が、複数のコマンドを同時期に格納可能なバッファエリアを有し、受信したコマンドをバッファエリアに格納するように構成されていてもよい。
【手続補正６】
【補正対象書類名】明細書
【補正対象項目名】００１８
【補正方法】変更
【補正の内容】
【００１８】
電気部品制御手段として、遊技制御手段からのコマンドに応じて払出装置を制御する払出制御手段が含まれ、遊技制御手段が、所定の入賞に応じて、払出装置から払い出すべき遊技媒体数を特定可能なコマンドを払出制御手段に対して出力可能であり、払出制御手段が、バッファエリアに格納されている払い出すべき遊技媒体数を特定可能なコマンドで特定される遊技媒体数を、払出予定総数を特定可能なカウンタに加算するように構成されていてもよい。
【手続補正７】
【補正対象書類名】明細書
【補正対象項目名】００１９
【補正方法】変更
【補正の内容】
【００１９】
コマンド受信処理には、入力されたコマンドが適正であるか否かを判定するコマンド判定処理が含まれ、電気部品制御手段が、適正なコマンドをバッファエリアに格納するように構成されていてもよい。
【手続補正８】
【補正対象書類名】明細書
【補正対象項目名】００２０
【補正方法】削除
【補正の内容】
【手続補正９】
【補正対象書類名】明細書
【補正対象項目名】０２８５
【補正方法】変更
【補正の内容】
【０２８５】
【発明の効果】
請求項１記載の発明では、遊技機を、コマンド出力手段は、コマンドデータを出力して取込信号出力処理を実行し、取込信号出力処理を実行した後、所定期間経過後に次のコマンドデータを出力し、所定期間は、コマンドデータを出力してから取込信号を出力するまでの期間よりも長く、コマンド出力手段は、取込信号出力処理を実行した後、所定期間が経過するまでコマンドデータの出力を維持し、電気部品制御手段が、初期設定で、所定の割込条件が成立した場合に実行される割込処理の実行アドレスに関わる割込モードの設定を行い、取込信号に応じて発生するコマンド受信割込にもとづくコマンド受信処理を含む割込処理を、設定された割込モードに従って実行し、コマンド受信処理によってコマンドデータを受信するように構成したので、適切な動作モードで払出制御を実行することができ、その結果、開発工数や遊技機コストを低減することができるとともに、遊技制御手段から他の電気部品制御手段に対して確実に制御コマンドを受信させることができる効果がある。また、コマンドを連続的に送信する場合でも、受信側においてそれらを容易に識別することができる。
【手続補正１０】
【補正対象書類名】明細書
【補正対象項目名】０２８６
【補正方法】変更
【補正の内容】
【０２８６】
請求項２記載の発明では、電気部品制御手段が、初期設定で、割込発生時の実行アドレスを設定可能な割込モードの設定を行うとともに、割込発生時の実行アドレスの設定を行うように構成したので、容易に、適切なアドレスから電気部品の制御を実行することができ、その結果、開発工数や遊技機コストを低減することができる。
【手続補正１１】
【補正対象書類名】明細書
【補正対象項目名】０２８７
【補正方法】変更
【補正の内容】
【０２８７】
請求項３記載の発明では、コマンド受信割込が、取込信号に応じて更新されるレジスタが所定値になったことに応じて発生するように構成したので、レジスタの初期値を適切に設定することによって、コマンド受信割込の発生タイミングを容易に設定することができる。
【手続補正１２】
【補正対象書類名】明細書
【補正対象項目名】０２９１
【補正方法】変更
【補正の内容】
【０２９１】
請求項７記載の発明では、電気部品制御手段が、複数のコマンドを同時期に格納可能なバッファエリアを有し、受信したコマンドをバッファエリアに格納するように構成したので、電気部品制御手段のコマンド判定処理が遅れても、バッファエリアにコマンドが格納されているので、コマンドを確実に認識することができる。
【手続補正１３】
【補正対象書類名】明細書
【補正対象項目名】０２９３
【補正方法】変更
【補正の内容】
【０２９３】
請求項９記載の発明では、コマンド受信処理に、入力されたコマンドが適正であるか否かを判定するコマンド判定処理が含まれ、電気部品制御手段が、適正なコマンドをバッファエリアに格納するように構成したので、誤ったコマンドにもとづく払出制御がなされてしまうことが防止され、遊技者等の不利益が与えられることをより確実に防止することができる。
【手続補正１４】
【補正対象書類名】明細書
【補正対象項目名】０２９４
【補正方法】削除
【補正の内容】